(57)【特許請求の範囲】
【請求項１】
内面、外面、正面、背面、頂部、底部、第１端部および第２端部を有する腰部バンドと、
前記腰部バンドの背面の底部から延びた、第１端部、正面部、および背面部を有するパネルと、を有し、
前記パネルの第１端部が、前記腰部バンドの底部の内面に配置されている固定構造によって前記腰部バンドに固定され、前記腰部バンドの第１端部が、第２固定構造によって前記腰部バンドの第２端部に結合され、かつ、
前記腰部バンドおよび前記パネルが天然ゴムまたは合成ゴム製の一片の伸縮性材料で１つの層として製造されている使い捨て下着。
【請求項２】
前記固定構造が前記腰部バンドの底部の外面に配置されている、請求項１に記載の使い捨て下着。
【請求項３】
前記パネルの内側部に固定された吸収性デバイスをさらに有する、請求項１に記載の使い捨て下着。
【請求項４】
前記吸収性デバイスが全体的に前記パネル内に配置されている、請求項３に記載の使い捨て下着。
【請求項５】
前記吸収性デバイスが部分的に前記パネル内に配置されている、請求項３に記載の使い
捨て下着。
【請求項６】
前記吸収性デバイスは、前記パネルの外側へ部分的に延び、前記吸収性デバイスの接着面は前記パネルを前記腰部バンドに接着する追加の固定手段を形成する請求項５に記載の使い捨て下着。
【請求項７】
前記吸収性デバイスが吸収性パッドである、請求項３から５のいずれか一項に記載の使い捨て下着。
【請求項８】
前記パネルが砂時計のようにくびれた形を有する、請求項１から７のいずれか一項に記載の使い捨て下着。
【請求項９】
内面、外面、正面、背面、頂部、底部、第１端部および第２端部を含む腰部バンドと、前記腰部バンドの背面の底部から延びた、第１端部、正面部、および背面部を有するパネルと、を有し、前記パネルの第１端部が、前記腰部バンドの底部の内面に配置されている固定構造によって前記腰部バンドに固定され、前記腰部バンドの第１端部が、第２固定構造によって前記腰部バンドの第２端部に結合され、かつ、前記腰部バンドおよび前記パネルが天然ゴムまたは合成ゴム製の一片の伸縮性材料で１つの層として製造されている使い捨て下着を提供することと、
前記腰部バンドを着けることと、
前記パネルの第１端部を前記腰部バンドの方に引っ張ることと、
前記パネルを、前記固定構造で前記腰部バンドに固定することと、
を有する、使い捨て下着を着けるための方法。
【発明の詳細な説明】
【技術分野】
【０００１】
本願は、２００７年１１月９日に提出された仮出願番号第６１／００２，７２４号に対して優先権を主張する。
【０００２】
本願は、正面で開くパネルが付いた使い捨て下着に関する。
【背景技術】
【０００３】
乳幼児おむつおよび失禁ブリーフのような開きパネルの付いた使い捨て下着は、当該技術分野において公知である。これらの下着は、分離する背面パネルおよび正面パネルの付いた扁平な製品として製造されている。この製品を着用するために、背面パネルは着用者の後部に配置され、正面パネルは着用者の股部分を通って正面に移動させられ、そして、正面パネルおよび背面パネルの端部を着用者の腰部または正面中央に重ね合わせ、これらを様々なタイプの接着剤で共に結合させることによって、正面パネルおよび背面パネルが固定される。
【０００４】
これらの製品の主たる欠点は、着用しようとする人が立っている場合、製品を身に着け、それがぴったり合うように着用するのが困難なことである。自分自身で着用する場合はなおさら、それはほとんど不可能になる。上記欠点に対して、そのような製品の一部の製造業者によって示されている解決策は、着用者が壁のような安定した表面に後部をもたれさせ、正面パネルを前に移動させる間、背面パネルを一時的に身体の後ろ側に固定することである。こうした製品を自分で着用する人のほとんどは高齢の利用者なので、この着用方法は決して快適ではない。
【０００５】
上記欠点を克服するために、利用者は、着用前に製品を閉じておくこともできる。例えば、キンバリークラーク社は乳幼児おむつの交換を容易にするために、再び開けることのできるテープで予め閉じた製品として簡単に使用できる乳幼児おむつを販売している。同じ解決策は、成人および乳幼児製品にも適用される。しかしながら、そうした解決策は、利用者がパンティー、ズボン、またはパンティーストッキングを穿いている場合、この利用者が衣服（パンティー、ズボン、またはパンティーストッキング）を脱ぎ、予め閉じた下着／おむつを身に着け、次いで衣服を再び着用することをしない限り不可能である。この方法は面倒であり、特に下着の交換を公衆トイレで行う場合、不快感を生じる。
【０００６】
「開いた製品」を着用する必要性は、生理中に使い捨て下着を着用し、そのうえズボンまたはパンティーストッキングを穿いている女性にも生じる。
【発明の概要】
【発明が解決しようとする課題】
【０００７】
本出願は、パンティー、ニッカー、ブリーフ、およびおむつのような使い捨て下着を着けるための、新規の美的にデザインされた、より快適な方法を提供する。
【課題を解決するための手段】
【０００８】
１つの実施態様では、本願は、内面、外面、正面、背面、頂部、底部、第１端部および第２端部を有する腰部バンドと、腰部バンドの背面の底部から延びた、第１端部、正面部、および背面部を有するパネルと、を有する使い捨て下着を開示する。パネルの第１端部は、腰部バンドの底部の内面に配置されている固定構造によって腰部バンドに固定され、腰部バンドの第１端部は、第２固定構造によって腰部バンドの第２端部に結合される。使い捨て下着は、腰部バンドおよびパネルが天然ゴムまたは合成ゴム製の一片の伸縮性材料で１つの層として製造されている。
【０００９】
使い捨て下着は、パネルの内側部に固定された吸収性デバイスをさらに有することができる。吸収性デバイスは、部分的にパネル内に配置されることができ、さらに、吸収性デバイスは、パネルの外側へ部分的に延び、吸収性デバイスの接着面はパネルを腰部バンドに接着する追加の固定手段を形成することができる。
【００１０】
下着を着けるための方法も説明されている。この方法は、内面、外面、正面、背面、頂部、底部、第１端部および第２端部を含む腰部バンドと、腰部バンドの背面の底部から延びた、第１端部、正面部、および背面部を有するパネルと、を有し、パネルの第１端部が、腰部バンドの底部の内面に配置されている固定構造によって腰部バンドに固定され、腰
部バンドの第１端部が、第２固定構造によって腰部バンドの第２端部に結合され、かつ、腰部バンドおよびパネルが天然ゴムまたは合成ゴム製の一片の伸縮性材料で１つの層として製造されている使い捨て下着を提供することと、腰部バンドを着けることと、パネルの第１端部を腰部バンドの正面に引っ張ることと、腰部バンドに
パネルを固定構造で固定することと、を含む。
【００１１】
本発明の典型的な実施形態は、図を参照して本明細書で説明される。
【図面の簡単な説明】
【００１２】
【図１】開いた位置にある下着の１つの実施形態を示す。
【図２】閉じた位置にある図１の下着を示す。
【図３】完全に開いた位置にある下着の別の実施形態を示す。
【図４】腰部バンドが閉じた位置にある図３の下着を示す。
【図５】腰部バンドが閉じられて、完全に閉じられる過程にある図３の下着を示す。
【図６】閉じた位置にある図３の下着を示す。
【図７】完全に開いた位置にある、デザインされた製品の別の実施形態を示す。
【図８】腰部バンドが閉じた位置にある図５の製品を示す。
【図９】腰部バンドが閉じられて、完全に閉じられる過程にある図５の製品を示す。
【図１０】閉じた位置にある図５の製品を示す。
【発明を実施するための形態】
【００１３】
図１を参照すると、下着１０が提供される。下着１０は、この下着の上部の背面パネル１５、正面パネル１２、および腰部バンド１１によってつくられた１片の材料で製造されている。従って、この下着の正面は、腰部の開口部および一時的な底部の開口部を含む。このことにより、着用者は始めに、引き下げた下着（ズボン、ニッカー、パンティーなど）の上から閉じた腰部バンドを身体の上方に引き上げることが可能になり、こうして腰部バンドがこの下着を着用者の身体に保持するので、下着を身体に保持するための余分なサポートは必要としない。
【００１４】
下着１０は、腰部バンド１１を含む。腰部バンド１１は、様々な方法で構成することができる。１つの実施形態では、図１〜２に示すように、腰部バンド１１は、既に閉じられて引き上げる用意ができている単一の環状片である。この実施形態では、腰部バンド１１は、再使用可能な接着性タブ（不図示）を含んでいてもよく、着用者は個々のサイズに合わせるために、下着を着用した後、身体に着用した下着を調節することができる。
【００１５】
別の実施形態では、図３に示すように、腰部バンド１１は、２つの端部を有して開いており、着用者は両端を結合して閉じた腰部バンドを形成する。本実施形態では、第１端部１１ａおよび第２端部１１ｂは、第１固定構造１６、１７によって相互に固定される。第１固定構造１６、１７は、両面テープを有していてもよい。あるいは、第１固定構造は、任意の適した固定手段、例えば、ベルクロ（登録商標）、接着剤、またはスナップであってもよい。
【００１６】
両方の実施形態では、腰部バンド１１は、頂部１１ｃおよび底部１１ｄをさらに含んでいる。また、腰部バンド１１は、着用者のヘソに位置する正面１１ｇおよび着用者の背中に位置する背面１１ｈをも含んでいる。腰部バンドの底部１１ｄは、第２固定構造１４の１つの端部を含んでいてもよい。正面パネル１２は、第２固定構造１３の他の端部を含んでいてもよい。図３および図４に示すように、第２固定構造１３、１４は、腰部バンド１１の内面１１ｅまたは外面１１ｆに配置されていてもよい。第２固定構造１３、１４は、両面テープを含んでいてもよい。あるいは、第２固定構造は、任意の適した固定手段、例えば、ベルクロ（登録商標）、接着剤、またはスナップであってもよい。
【００１７】
下着１０は、正面パネル１２、および腰部バンド１１の底部１１ｄから延びている背面パネル１５を有するパネル部分をさらに含んでいる。パネル１２、１５は、砂時計のようにくびれた形を有していてもよい。正面パネル１２は、折り曲げられて、第２固定構造１３、１４によって腰部バンド１１の底部１１ｄに結合させることができる。第２固定構造１３、１４は、正面パネル１２のどちらかの面、もしくは腰部バンド１１の内面１１ｅまたは外面１１ｆのどちらかの面に配置されてもよい。
【００１８】
下着は、好ましくは下着１０の正面パネル部分に配置されたパッド２０または他の任意の適した吸収性デバイスをさらに含んでいてもよい。１つの実施形態では、図３〜６に示すように、下着と一体化されたパッド２０が、全体として下着１０のパネル１２内に配置される。別の実施形態では、図７〜１０に示すように、パッド２１は、正面パネル１２の外側へ部分的に延びている。パッド２１の接着面は、正面パネル１２を腰部バンド１１に接着する追加の固定手段を形成する。
【００１９】
操作においては、図１および２に示された下着１０は、閉じた腰部バンド１１を着用者の膝、さらには下半身用の衣類の上から引き上げることによって、座ったまま、または立ったまま着用することができる。次いで、下着の一時的に腰部バンド１１の背面から垂れ下がっているパネル１２、１５を、股領域を介して前方に移動させ、任意の適した固定構造１３、１４によって、下着１０の正面で腰部バンド１１に固定することができる。下着のパネル１２、１５を腰部バンド１１に固定すると、脚の開口部が形成される。この方法により、立ちながら、横たわりながら、または座りながら、より容易に動きやすく下着を着用することができる。
【００２０】
図３〜１０に示す実施形態では、腰部バンド１１の第１端部１１ａおよび第２端部１１ｂは、共に移動され固定構造１６、１７によって固定される。次に、正面パネル１２は両脚の間の正面に移動され、腰部バンドに結合されて、この製品を所定の場所に容易に引き上げることができる。
【００２１】
下着１０は、弾性または伸縮性材料で製造されてもよい。下着は、開放端正面パネルを有する１つの層として製造することができる。あるいは、下着は、１枚より多いシートで製造することができ、いくつかの同じもしくは異なった材料またはシートを組合せることができる。また、下着は、任意の適した材料、例えば、布、エラストマー、ポリマーなどから製造することもできる。本出願で使用できる追加の適した材料としては、天然ゴム（例えば、ラテックス）、合成ゴム、繊維をベースとする材料、または、米国特許第６，９８７，２１０号、同７，３５４，４２４号、および米国特許公開第２００８／０１５０１９１号各公報に記載された任意の材料が挙げられ、これらの公報はすべて、その全部を参照して本明細書に組みこまれる。
【００２２】
天然ゴム、合成ゴムもしくは任意の他の弾性または伸縮自在のポリマー材料が下着１０を製造するのに使用される場合、着用者が滑らかで着心地が良いと感じるために、材料の表面の少なくとも一部または全てが、任意の適したゆるい繊維、例えば、コットン繊維またはビスコース繊維の集合体とされることが好ましい。適した集合方法は、例えば、米国特許第６，９８７，２１０号および同７，３５４，４２４号、米国特許公開第２００６／０１１３７１４号および米国特許出願第２００８／０１５０１９１号各公報に記載されており、これらすべては、その全部を参照して本明細書に組みこまれる。
【００２３】
下着１０は、多くの異なる方法で製造することができ、その方法としては、米国特許第６，９８７，２１０号、同７，３５４，４２４号、および同６，９６０，７４０号、米国特許公開第２００６／０１１３７１４号および同２００８／０１５０１９１号の各公報、ならびに米国特許出願番号第１２／０５３，０４０号に詳細に記載された方法が挙げられ、これらすべては、その全部を参照して本明細書に組みこまれる。
【００２４】
本デザインにより、結合部分で下着を簡単に引き離すこと、例えば、パネルと腰部バンドの間の固定構造１３、１４を分離すること、および腰部バンド１１上の固定構造１６、１７を分離することによって、下着の取り外しが可能となる。
【００２５】
本願の図面は、特定の形状および様式、または性差による様式に従って限定されない、本発明のデザインの基本概念を表す。
【００２６】
本出願の特徴および実施形態は、本明細書において詳細に記載されているが、この出願がすべての変更および改良を包含することを理解されなければならない。
【図１】
0005552054.tif 000002
【図２】
0005552054.tif 000003
【図３】
0005552054.tif 000004
【図４】
0005552054.tif 000005
【図５】
0005552054.tif 000006
【図６】
0005552054.tif 000007
【図７】
0005552054.tif 000008
【図８】
0005552054.tif 000009
【図９】
0005552054.tif 000010
【図１０】
0005552054.tif 000011